(57)【要約】【課題】  この発明は、記録媒体に記録されている映像コンテンツを簡易にダビング処理できるようにすることを目的とする。【解決手段】  第１のコンテンツのダビング処理指示に対応して関連する第２のコンテンツをダビング処理のために選択可能に表示し、関連コンテンツが選択された場合は第１のコンテンツと一緒にダビング処理を行うように構成している。【選択図】    図２
2007266953.tif 000002
【特許請求の範囲】
【請求項１】
記録媒体に記録されている映像コンテンツが選択可能となるように出力表示し、選択された映像コンテンツをダビング処理する映像記録装置において、
記録媒体に記録されている映像コンテンツが選択可能となるように出力表示する手段と、
前記出力表示された映像コンテンツの中から選択された第１のコンテンツのダビング処理に関する指示を受信する手段と、
前記第１のコンテンツのダビング処理指示に対応して第１のコンテンツに関連する第２のコンテンツが前記記録媒体に記録されているかを判別する関連コンテンツ判別手段と、
第２のコンテンツが前記記録媒体に記録されていると判別された場合に、前記第２のコンテンツをダビング処理のために選択可能に出力表示する関連コンテンツ表示手段と、
前記表示の中から関連コンテンツが選択された場合には前記第１のコンテンツのダビング処理および前記第２のコンテンツのダビング処理を行うダビング処理手段を備えることを特徴とする映像記録装置。
【請求項２】
前記第２のコンテンツには前記第１のコンテンツに関連する関連情報が対応づけられていることを特徴とする請求項１に記載の映像記録装置。
【請求項３】
前記関連情報は前記第１のコンテンツおよび前記第２のコンテンツが共に繰り返し予約であることを示す情報であることを特徴とする請求項２に記載の映像記録装置。
【請求項４】
前記関連情報は前記第１のコンテンツおよび前記第２のコンテンツに共通のキーワードが対応付けされていることを示す情報であることを特徴とする請求項２に記載の映像記録装置。
【請求項５】
記録媒体に記録されている映像コンテンツが選択可能となるように出力表示し、選択された映像コンテンツをダビング処理する映像記録方法において、
記録媒体に記録されている映像コンテンツが選択可能となるように出力表示するステップと、
前記出力表示された映像コンテンツの中から選択された第１のコンテンツのダビング処理に関する指示を受信するステップと、
前記第１のコンテンツのダビング処理指示に対応して第１のコンテンツに関連する第２のコンテンツが前記記録媒体に記録されているかを判別するステップと、
第２のコンテンツが前記記録媒体に記録されていると判別された場合に、前記第２のコンテンツをダビング処理のために選択可能に出力表示するステップと、
前記表示の中から関連コンテンツが選択された場合には前記第１のコンテンツのダビング処理および前記第２のコンテンツのダビング処理を行うステップを備えることを特徴とする映像記録方法。
【発明の詳細な説明】
【技術分野】
【０００１】
この発明は、映像記録装置に関し、特に記録媒体に記録されている映像コンテンツをダビング処理する映像記録装置に関する。
【背景技術】
【０００２】
現在、ダビング機能のついたレコーダに関する技術が開示されている（特許文献１）。
【０００３】
特許文献１では、同じ番組タイトルで同じチャンネルから所定時間に同じ時間帯に放送される一連の番組からなる番組パックに対して、録画条件とダビング条件とを設定可能にする技術が開示されている。
【特許文献１】特開2005-347822
【発明の開示】
【発明が解決しようとする課題】
【０００４】
しかしながら、上記開示技術においては、録画の前に予め、条件を設定する必要があり、記録媒体に記録されている映像コンテンツの中から選択された映像コンテンツを簡易にダビング処理する技術は開示されていなかった。また、記録媒体に記録されている映像コンテンツの中から選択された第１のコンテンツに関連する第２のコンテンツのダビング処理を簡易に実行することを示唆する技術は開示されていなかった。したがって、製品への応用という点で、まだ開示が充分ではないという問題があった。
【０００５】
そこでこの発明は、記録媒体に記録されている映像コンテンツの中から選択された映像コンテンツを簡易にダビング処理できるようにすることを目的とする。また、記録媒体に記録されている映像コンテンツの中から選択された第１のコンテンツに関連する第２のコンテンツのダビング処理を簡易に実行できるようにすることを目的とする。これによって、ユーザの利便性を向上させることを目的とする。
【課題を解決するための手段】
【０００６】
この発明に係る映像記録装置は、記録媒体に記録されている映像コンテンツが選択可能となるように出力表示する手段と、前記出力表示された映像コンテンツの中から選択された第１のコンテンツのダビング処理に関する指示を受信する手段と、前記第１のコンテンツのダビング処理指示に対応して第１のコンテンツに関連する第２のコンテンツが前記記録媒体に記録されているかを判別する関連コンテンツ判別手段と、第２のコンテンツが前記記録媒体に記録されていると判別された場合に、前記第２のコンテンツをダビング処理のために選択可能に出力表示する関連コンテンツ表示手段と、前記表示の中から関連コンテンツが選択された場合には前記第１のコンテンツのダビング処理および前記第２のコンテンツのダビング処理を行うダビング処理手段を備えるように構成している。
【０００７】
この発明に係る映像記録方法は、記録媒体に記録されている映像コンテンツが選択可能となるように出力表示するステップと、前記出力表示された映像コンテンツの中から選択された第１のコンテンツのダビング処理に関する指示を受信するステップと、前記第１のコンテンツのダビング処理指示に対応して第１のコンテンツに関連する第２のコンテンツが前記記録媒体に記録されているかを判別するステップと、第２のコンテンツが前記記録媒体に記録されていると判別された場合に、前記第２のコンテンツをダビング処理のために選択可能に出力表示するステップと、前記表示の中から関連コンテンツが選択された場合には前記第１のコンテンツのダビング処理および前記第２のコンテンツのダビング処理を行うステップを備えるように構成している。
【発明の効果】
【０００８】
上記のように構成することによって、記録媒体に記録されている映像コンテンツの中から選択された映像コンテンツのダビング処理を簡易にできるという効果がある。また、記録媒体に記録されている映像コンテンツの中から選択された第１のコンテンツに関連する第２のコンテンツのダビング処理の実行を簡易にできるという効果がある。これによって、ユーザの使い勝手を向上させるという効果がある。
【発明を実施するための最良の形態】
【０００９】
以下、この発明の実施の形態について図面を参照して説明する。
【００１０】
図１はこの発明の実施の形態に係る映像記録装置１の構成を示すブロック図である。映像記録装置１は、入力情報を所定の記録媒体に記録し、再生指示に応じて既に記録されている情報を再生する記録再生部１０４、記録再生部１０４への記録及び記録再生部１０４からの再生、及び以下に説明する各部の動作を制御するマイクロコンピュータ（ＭＰＵすなわち主制御装置）１０５を有する。
【００１１】
記録再生部１０４は、例えばＤＶＤ(Digital Versatile Disk)規格に準拠して製造されたディスクＤに、情報の記録及び再生が可能なディスクドライブユニット１０４ａ、ディスクドライブユニット１０４ａにセットされたディスクＤに記録されるデータあるいはディスクＤから再生されたデータの一定量を一時的に保持可能なバッファリングメモリとして機能する一時記録部１０４ｂ、大容量データを記録可能なＨＤＤ１０４ｄ、及びデータプロセッサ１０４ｃを含む。
【００１２】
データプロセッサ１０４ｃは、ＭＰＵ１０５の制御に従って、エンコーダ部１０３から出力された記録データをディスクドライブ１０４ａに供給したり、ディスクＤの再生信号をディスクドライブ１０４ａから取り込み、デコーダ部に供給する。又データプロセッサ１０４ｃは、ＭＰＵ１０５の制御に従って、エンコーダ部１０３から出力された記録データをＨＤＤ１０４ａに供給したり、ＨＤＤ１０４ａからの再生信号をデコーダ部に供給する。更にデータプロセッサ１０４ｃは、ＭＰＵ１０５の制御に従って、ディスクＤあるいはＨＤＤ１０４ａに記録された管理情報を書き替えたり、記録されたデータの削除を行う。
【００１３】
尚、一時記録部１０４ｂは、具体的には、記録途中でディスクの記録容量を使い切ってしまった場合において、ディスクＤが記録容量の残っているディスクに交換されるまでの間、記録対象である情報を、一時記憶しておくことに利用できる。ディスクＤは例えば追記録可能なＤＶＤ−Ｒ、書換え可能なＤＶＤ-ＲＡＭ等の記録可能光ディスクとする。
【００１４】
エンコーダ部１０３は入力された映像信号をエンコードして圧縮する。エンコーダ部１０３には、記録対象である映像信号を外部から入力するためのＡＶ入力端子１０１、及び例えば放送事業者等に代表される情報配信者から配信される映像及び音声が受信可能なチューナ１０２が接続されている。
【００１５】
デコーダ部１０６は記録再生部１０４から出力された映像情報をデコードして伸長する。デコーダ部１０６には、（デコーダ部１０６により）デコードされた再生情報を、テレビ等の再生装置に供給するためのＡＶ出力端子１０７が接続されている。
【００１６】
ＭＰＵ１０５には又、タイマーマイコン１０９が接続され、タイマーマイコン１０９は、映像記録装置１の時間管理に利用されるタイマー回路（時計ユニット）１０９ａを有している。タイマーマイコン１０９には、利用者からの操作（指示）を受け付ける利用者操作入力部１１０が接続されている。
【００１７】
ＭＰＵ１０５には又、録画予約情報あるいは装置１本体の動作状態を表示する表示部１０８、電話回線あるいはＣＡＴＶ回線等により接続されるインターネット等の通信ネットワークを介して、外部から録画予約を入力し及び録画予約の可否を、指定された返信先に通知可能な通信制御部１１２、及び録画予約情報等を保持可能なメモリ１１１が接続されている。尚、通信制御部１１２には、ネットワークにおいて広く利用されているブラウザソフト（ネットワーク内で情報の検索や閲覧が可能な応用ソフトウェア）及び所定の条件下で外部にメールを送信可能な図示しないダイヤラー等が予め用意されている。外部から通信ネットワークを介して入力された録画予約情報は、その録画が可能であれば録画予約情報テーブル１１１ａに登録される。
【００１８】
ＭＰＵ１０５は、メモリ１１１に記憶されている制御プログラムに従い、ディスクＤに対する情報記録再生及び削除、利用者操作入力部１１０を介して入力された録画予約情報に対応する録画動作、表示部１０８を用いた表示動作等を制御する。
【００１９】
タイマーマイコン１０９は、タイマー回路（時計ユニット）１０９ａ及び録画予約情報テーブル１１１ａをモニタしながら、利用者により設定された録画予約情報を管理し、録画予約開始時刻に達した時点でＭＰＵ１０５に録画開始指示、及び録画予約終了時刻に達した時点でＭＰＵ１０５に録画終了指示を出力する。
【００２０】
利用者操作入力部１１０により利用者は、録画、再生、録画予約情報の入力及び録画予約情報の変更等が可能である。又利用者操作入力部１１０は、図示しないリモコン（リモートコントロール端末）から送信された制御信号を受け入れるデータ受信部１１０ｂ、利用者からの直接入力を受付け、制御信号をタイマーマイコン１０９へ出力可能な操作パネル１１０ａを含む。
【００２１】
図２は、この発明の実施の形態に係る映像記録装置において、コンテンツの関連情報を繰返し録画予約とした場合の、ダビング処理を選択させる選択画面を示す図である。
【００２２】
記録媒体に記録されている映像コンテンツが選択可能となるように出力表示され、ここからユーザによって所定の映像コンテンツ（第１のコンテンツ）が選択されると、これに関連するコンテンツ（第２のコンテンツ）をダビング処理するか否かが映像記録装置からユーザに問合せをするように構成されている。
【００２３】
ここでは、同じ繰返し録画予約で録画されたコンテンツ（第２のコンテンツ）が選択されたコンテンツ（第１のコンテンツ）以外に、他にあります。一緒にダビングしますか？と表示される。ここで、ユーザが「はい」を選択すると、同じ繰返し録画予約で録画されたコンテンツ（第２のコンテンツ）を選択されたコンテンツ（第１のコンテンツ）と一緒にダビング処理する。ユーザが「いいえ」を選択すると、同じ繰返し録画予約で録画されたコンテンツ（第２のコンテンツ）はダビング処理しない。
【００２４】
図３は、この発明の実施の形態に係る映像記録装置の繰返し録画予約における（ａ）ダビング元のコンテンツと（ｂ）ダビング先のコンテンツを示す図である。
【００２５】
図３（ａ）がダビング元のコンテンツを示している。また、図３（ｂ）はダビング先のコンテンツを示している。
【００２６】
ここでは、符号１１は選択されたコンテンツ（第１のコンテンツ）、符号１２は同じ繰返し録画予約で録画されたコンテンツ（第２のコンテンツ）である。
【００２７】
上記のように、ユーザが「はい」を選択すると、符号１１を付した選択されたコンテンツ（第１のコンテンツ）と符号１２を付した同じ繰返し録画予約で録画されたコンテンツ（第２のコンテンツ）がダビングされる。ユーザが「いいえ」を選択すると、符号１１を付した選択されたコンテンツ（第１のコンテンツ）はダビングされるが、符号１２を付した同じ繰返し録画予約で録画されたコンテンツ（第２のコンテンツ）はダビング処理されない。
【００２８】
図４は、この発明の実施の形態に係る映像記録装置において、コンテンツの関連情報をキーワード録画予約とした場合のダビング処理を選択させる選択画面を示す図である。
【００２９】
図５は、この発明の実施の形態に係る映像記録装置の（ａ）ダビング元のコンテンツと（ｂ）ダビング先のコンテンツを示す図である。
【００３０】
図５（ａ）がダビング元のコンテンツを示している。また、図５（ｂ）はダビング先のコンテンツを示している。
【００３１】
ここでは、符号１１は選択されたコンテンツ（第１のコンテンツ）、符号１２はキーワード録画予約で録画されたコンテンツ（第２のコンテンツ）である。
【００３２】
上記のように、ユーザが「はい」を選択すると、符号１１を付した選択されたコンテンツ（第１のコンテンツ）と符号１２を付した同じキーワード録画予約で録画されたコンテンツ（第２のコンテンツ）がダビングされる。ユーザが「いいえ」を選択すると、符号１１を付した選択されたコンテンツ（第１のコンテンツ）はダビングされるが、符号１２を付した同じキーワード録画予約で録画されたコンテンツ（第２のコンテンツ）はダビング処理されない。
【００３３】
図６は、この発明の実施の形態に係る映像記録装置において、コンテンツのダビング処理に係る選択肢の全てを選択させるようすを示す図である。
【００３４】
図７は、この発明の実施の形態に係る映像記録装置の（ａ）ダビング元のコンテンツと（ｂ）ダビング先のコンテンツを示す図である。
【００３５】
図７（ａ）がダビング元のコンテンツを示している。また、図７（ｂ）はダビング先のコンテンツを示している。
【００３６】
ここでは、符号１１は選択されたコンテンツ（第１のコンテンツ）、符号１２はキーワード録画予約で録画されたコンテンツ（第２のコンテンツ）である。
【００３７】
上記のように、ユーザが「全て」を選択すると、符号１１を付した選択されたコンテンツ（第１のコンテンツ）と符号１２を付した録画された全てのコンテンツ（第２のコンテンツ）がダビングされる。ユーザが「いいえ」を選択すると、符号１１を付した選択されたコンテンツ（第１のコンテンツ）はダビングされるが、符号１２を付したコンテンツ（第２のコンテンツ）はダビング処理されない。
【００３８】
図８は、この発明の実施の形態に係る映像記録装置において、コンテンツのダビング処理に係る選択肢の選択が選択させるようすを示す図である。
【００３９】
図９は、この発明の実施の形態に係る映像記録装置の（ａ）ダビング元のコンテンツと（ｂ）ダビング先のコンテンツを示す図である。
【００４０】
図９（ａ）がダビング元のコンテンツを示している。また、図９（ｂ）はダビング先のコンテンツを示している。
【００４１】
ここでは、符号１１は選択されたコンテンツ（第１のコンテンツ）、符号１２は録画されたコンテンツ（第２のコンテンツ）である。
【００４２】
上記のように、ユーザが「選択」を選択すると、符号１１を付した選択されたコンテンツ（第１のコンテンツ）がダビングされる。そして、符号１２を付したコンテンツ（第２のコンテンツ）はダビング処理されない。
【００４３】
図１０はこの発明の実施の形態に係る映像記録装置において、コピー先のディスク容量が不足し、ビットレート変換の選択肢が表示されたようすを示す図である。
【００４４】
ここでは、ダビングを行うコンテンツに使用されるデータ量とダビング先（コピー先）のディスク容量が比較される。そして、ダビング先（コピー先）のディスク容量がダビングを行うコンテンツに使用されるデータ量に比べて少ない場合にこのような表示が行われる。このような場合に、ダビングを行うコンテンツのビットレートを変換し、データ量を圧縮することも可能である。そして、例えば、コピー先のディスク容量が足りません。ビットレート変換しますか？と表示される。
【００４５】
図１１は、この発明の実施の形態に係る映像記録装置の（ａ）ダビング元のコンテンツと（ｂ）ダビング先のコンテンツを示す図である。
【００４６】
図１１（ａ）がダビング元のコンテンツを示している。また、図１１（ｂ）はダビング先のコンテンツを示している。
【００４７】
ここでは、符号１１は選択されたコンテンツ（第１のコンテンツ）、符号１２は録画されたコンテンツ（第２のコンテンツ）である。
【００４８】
上記のように、ユーザが「はい」を選択すると、符号１１を付した選択されたコンテンツ（第１のコンテンツ）と符号１２を付したコンテンツ（第２のコンテンツ）はビットレートが変換され、データ量が圧縮されて、ダビングされる。
【００４９】
図１２はこの発明の実施の形態に係るダビング処理（図１３および図１４へ接続する）の動作を示すフローチャートである。
【００５０】
符号２００はここでの開始ステップである。続いて符合２０１を付したステップへ進む。
【００５１】
符号２０１は記憶媒体にコンテンツが記録されるステップである。続いて符合２０２を付したステップへ進む。
【００５２】
符号２０２は記憶済のコンテンツをダビングすることが指示されるステップである。続いて符合２０３を付したステップへ進む。
【００５３】
符号２０３はダビングするコンテンツ（第１のコンテンツ）を選択するステップである。続いて符合２０４を付したステップへ進む。
【００５４】
符号２０４は、コンテンツの関連情報すなわち、録画予約は繰返し予約であるか否かを判別するステップである。録画予約は繰返し予約である場合は符号２０５を付したステップへ進む（Ｙｅｓ）。録画予約は繰返し予約でない場合は符号２０６を付したステップへ進む（Ｎｏ）。
【００５５】
符号２０５は繰返し予約で録画されたコンテンツ（関連情報のあるコンテンツ）は他にあるかを判別するステップである。繰返し予約で録画されたコンテンツ（関連情報のあるコンテンツ）は他にある場合は符号３０１を付したステップ（図１３）へ進む（Ｙｅｓ）。繰返し予約で録画されたコンテンツ（関連情報のあるコンテンツ）は他にない場合は符号５００を付したステップへ進む。
【００５６】
符号２０６はコンテンツの関連情報すなわち、録画予約はキーワード自動録画であるか否かを判別するステップである。録画予約は、録画予約はキーワード自動録画である場合は符号２０７を付したステップへ進む（Ｙｅｓ）。録画予約は、録画予約はキーワード自動録画でない場合は符号５００を付したステップへ進む（Ｎｏ）。
【００５７】
符号２０７はコンテンツの関連情報すなわち、キーワード自動録画で録画されたコンテンツは他にあるか否かを判別するステップである。キーワード自動録画で録画されたコンテンツは他にある場合は符号３０１を付したステップ（図１４）へ進む（Ｙｅｓ）。キーワード自動録画で録画されたコンテンツは他にない場合は符号５００を付したステップへ進む（Ｎｏ）。
【００５８】
図１３はこの発明の実施の形態に係るダビング処理（図１５へ接続する）の動作を示すフローチャートである。
【００５９】
符号３０１は映像記録装置がコンテンツの残りも一緒にダビングするか否かの情報を受信し、判別するステップである。コンテンツの残りも一緒にダビングする場合は符号３０２を付したステップへ進む（Ｙｅｓ）。コンテンツの残りを一緒にダビングしない場合は符号５００を付したステップへ進む（Ｎｏ）。
【００６０】
符号３０２は映像記録装置がコンテンツを選択してダビングするか否かの情報を受信し、判別するステップである。コンテンツを選択してダビングする場合は符号３０３を付したステップへ進む（Ｙｅｓ）。コンテンツを選択してダビングしない場合は符号３０５を付したステップへ進む（Ｎｏ）。
【００６１】
符号３０３は繰返し予約で録画されたコンテンツを選択元として表示するステップである。続いて符号３０４を付したステップへ進む。
【００６２】
符号３０４はダビングするコンテンツが選択されるステップである。続いて符号４０１を付したステップ（図１５）へ進む。
【００６３】
符号３０５は映像記録装置が繰返し予約で録画されたコンテンツを全て選択してダビングする情報を受信するステップである。続いて符号４０１を付したステップ（図１５）へ進む。
【００６４】
図１４はこの発明の実施の形態に係るダビング処理（図１５へ接続する）の動作を示すフローチャートである。
【００６５】
符号３０１は映像記録装置がコンテンツの残りも一緒にダビングするか否かの情報を受信し、判別するステップである。コンテンツの残りも一緒にダビングする場合は符号３０２を付したステップへ進む（Ｙｅｓ）。コンテンツの残りを一緒にダビングしない場合は符号５００を付したステップへ進む（Ｎｏ）。
【００６６】
符号３０２は映像記録装置がコンテンツを選択してダビングするか否かの情報を受信し、判別するステップである。コンテンツを選択してダビングする場合は符号３１３を付したステップへ進む（Ｙｅｓ）。コンテンツを選択してダビングしない場合は符号３１５を付したステップへ進む（Ｎｏ）。
【００６７】
符号３１３は映像記録装置がキーワード自動録画で録画されたコンテンツを選択元として表示するステップである。続いて符号３１４を付したステップへ進む。
【００６８】
符号３１４はダビングするコンテンツが選択されるステップである。続いて符号４０１を付したステップ（図１５）へ進む。
【００６９】
符号３１５はキーワード自動録画で録画されたコンテンツが全て選択されるステップである。続いて符号４０１を付したステップ（図１５）へ進む。
【００７０】
図１５はこの発明の実施の形態に係るダビング処理の動作を示すフローチャートである。
【００７１】
符号４０１は上記のように、コピー先に必要なディスク容量があるか否かを判別するステップである。コピー先に必要なディスク容量があると判別される場合は符号５００を付したステップへ進む（Ｙｅｓ）。コピー先に必要なディスク容量がないと判別される場合は符号４０２を付したステップへ進む（Ｎｏ）。
【００７２】
符号４０２は、上記のようにビットレート変換が選択されたか否かを受信し、判別するステップである。ビットレート変換が選択されたと判別される場合は符号４０３を付したステップへ進む（Ｙｅｓ）。ビットレート変換が選択されたと判別されない場合は符号４０５を付したステップへ進む（Ｎｏ）。
【００７３】
符号４０３は、最低ビットレートで上記ビットレートが満足されるか否かを判別するステップである。最低ビットレートで上記ビットレートが満足される場合は符号４０４を付したステップへ進む（Ｙｅｓ）。最低ビットレートで上記ビットレートが満足されない場合は符号５００を付したステップへ進む（Ｎｏ）。
【００７４】
符号４０５は映像記録装置に表示されるコンテンツ選択画面（２０３）へ戻るステップである。
【００７５】
符号５００は上記設定されたダビング処理が開始されるステップである。
【００７６】
すなわち、この発明の実施の形態に係る映像記録装置記録は、記録媒体に記録されている映像コンテンツが選択可能となるように出力表示する手段と、前記出力表示された映像コンテンツの中から選択された第１のコンテンツのダビング処理に関する指示を受信する手段と、前記第１のコンテンツのダビング処理指示に対応して第１のコンテンツに関連する第２のコンテンツが前記記録媒体に記録されているかを判別する関連コンテンツ判別手段と、第２のコンテンツが前記記録媒体に記録されていると判別された場合に、前記第２のコンテンツをダビング処理のために選択可能に出力表示する関連コンテンツ表示手段と、前記表示の中から関連コンテンツが選択された場合には前記第１のコンテンツのダビング処理および前記第２のコンテンツのダビング処理を行うダビング処理手段を備えるように構成される。
【００７７】
上記のように構成されることによって、記録媒体に記録されている映像コンテンツの中から選択された映像コンテンツのダビング処理を簡易にすることが可能となる。また、記録媒体に記録されている映像コンテンツの中から選択された第１のコンテンツに関連する第２のコンテンツのダビング処理の実行を簡易にすることが可能となる。これによって、ユーザの使い勝手を向上させることが可能となる。
【００７８】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００７９】
【図１】この発明の実施の形態に係る映像記録装置の構成を示すブロック図。
【図２】この発明の実施の形態に係る映像記録装置において、コンテンツの関連情報を繰返し録画予約とした場合のダビング処理を選択させる選択画面を示す図。
【図３】この発明の実施の形態に係る映像記録装置の繰返し録画予約における（ａ）ダビング元のコンテンツと（ｂ）ダビング先のコンテンツを示す図。
【図４】この発明の実施の形態に係る映像記録装置において、コンテンツの関連情報をキーワード録画予約とした場合のダビング処理を選択させる選択画面を示す図。
【図５】この発明の実施の形態に係る映像記録装置のキーワード録画予約における（ａ）ダビング元のコンテンツと（ｂ）ダビング先のコンテンツを示す図。
【図６】この発明の実施の形態に係る映像記録装置において、コンテンツのダビング処理に係る選択肢の全てを選択させるようすを示す図。
【図７】この発明の実施の形態に係る映像記録装置の（ａ）ダビング元のコンテンツと（ｂ）ダビング先のコンテンツを示す図。
【図８】この発明の実施の形態に係る映像記録装置において、コンテンツのダビング処理に係る選択肢の選択が選択させるようすを示す図。
【図９】この発明の実施の形態に係る映像記録装置の（ａ）ダビング元のコンテンツと（ｂ）ダビング先のコンテンツを示す図。
【図１０】この発明の実施の形態に係る映像記録装置において、コピー先のディスク容量が不足し、ビットレート変換の選択肢が表示されたようすを示す図。
【図１１】この発明の実施の形態に係る映像記録装置のビットレート変換が選択された場合の（ａ）ダビング元のコンテンツと（ｂ）ダビング先のコンテンツを示す図。
【図１２】この発明の実施の形態に係るダビング処理（図１３および図１４へ接続する）の動作を示すフローチャート。
【図１３】この発明の実施の形態に係るダビング処理（図１５へ接続する）の動作を示すフローチャート。
【図１４】この発明の実施の形態に係るダビング処理（図１５へ接続する）の動作を示すフローチャート。
【図１５】この発明の実施の形態に係るダビング処理の動作を示すフローチャート。
【符号の説明】
【００８０】
１…映像記録装置、１０１…映像信号入力
端子、１０２…ＴＶチューナ、１０３…エンコーダ部、１０４…記録再生部、１
０５…マイクロプロセッサユニット、１０６…デコーダ部、１０７…映像出力端
子、１０８…表示部、１０９…タイマーマイコン、１１０…利用者操作入力部、
１１１…メモリ、１１２…通信制御部
【図１】
2007266953.tif 000003
【図２】
2007266953.tif 000004
【図３】
2007266953.tif 000005
【図４】
2007266953.tif 000006
【図５】
2007266953.tif 000007
【図６】
2007266953.tif 000008
【図７】
2007266953.tif 000009
【図８】
2007266953.tif 000010
【図９】
2007266953.tif 000011
【図１０】
2007266953.tif 000012
【図１１】
2007266953.tif 000013
【図１２】
2007266953.tif 000014
【図１３】
2007266953.tif 000015
【図１４】
2007266953.tif 000016
【図１５】
2007266953.tif 000017